(57)【特許請求の範囲】
【請求項１】
所定幅及び所定高さをもち且つ一方の壁面側に凹入するコンクリート製の前壁部と該前壁部の他方の側面から後方へ延出するコンクリート製の後壁部と上記前壁部と後壁部の上面に上方へ突出させて設けられた複数のコンクリート製の擬岩又は自然石からなる突出部とを備えた複数の落差工用コンクリートブロックを、上記後壁部を川上側に向けるとともに上記前壁部の両側面に隣り合う他の落差工用コンクリートブロックの側面を対向させた状態で順次川幅方向に列設してなる上段側ブロック列と、
上記複数の落差工用コンクリートブロックを、上記上段側ブロック列よりも河川の流れ方向の川下側において上記後壁部を川上側に向け且つ川幅方向において隣接する上記上段側ブロック列に属する一対の落差工用コンクリートブロックの前壁部の端部前面に対向させるとともに上記前壁部の両側面には隣り合う他の落差工用コンクリートブロックの側面を対向させた状態で順次川幅方向に列設してなる下段側ブロック列とを、
上記上段側ブロック列の上面が下段側ブロック列の上面よりも高位に位置するようにして河川の流れ方向に順次形成して構成されたことを特徴とするコンクリートブロックを用いた落差工。
【請求項２】
請求項１において、
上記落差工用コンクリートブロックの上記前壁部がその一方の壁面側に凹入する円弧壁とされるとともに、上記後壁部が上記前壁部の他方の壁面における円弧方向の略中央部から後方へ延出形成されていることを特徴とするコンクリートブロックを用いた落差工。
【発明の詳細な説明】
【０００１】
【発明の属する技術分野】
【０００２】
本願発明は、コンクリートブロックを用いた落差工に関するものである。
【従来の技術】
【０００３】
従来から、河川には治水、利水の目的をもって落差工が多く設置されている。この落差工は、急な河床勾配を緩和し、水の流速を低下させたり、河床の洗掘あるいは変動を防止する機能をもつ。
【０００４】
この落差工としては、河床にこれを横断する方向に向けて自然石を積み重ねて構成したり、この石積に代えて、河床にこれを横断する方向に向けてコンクリート壁を設けて構成し、且つ河川状況に応じてこれら石積落差工あるいはコンクリート落差工を河川の流れ方向に所定間隔で且つ順次適度の高低差をもって多段配置するのが通例であった。
【０００５】
ところが、これら従来の落差工は、石積作業あるいはコンクリート打設作業が共に現場作業を主体とするものであることから、共に施工性が低劣であり、それだけコストが高くつくという問題があった。
【０００６】
また、特に、コンクリート落差工においては、その上端が川幅方向に直線状に延びることから、水の流れが該落差工の全域で可及的に均一化される。この結果、看者に人工的な落差工というイメージを与え該落差工を含めた河川周辺の景観を損ねるおそれがあるとともに、落差工における流れが均一であるがために河川に棲息する魚類の中には魚種に固有の遊泳能力から川上への遡上や川下への降下が阻害されるものも生じ、延いては河川の正常な生態系が崩れるおそれもある。
【０００７】
さらに、従来の落差工においては、一般に、川上側の落差工と川下側の落差工との間の段差を比較的大きくとっていたため、必然的にこの落差工を越流して川下側に落下する水の落下エネルギーが大きく、河床の洗掘が起こり易い。かかる洗掘を防止するために、落差工の川下側の水叩き部をコンクリートで略水平に固めることが多いが、このように水叩き部をコンクリートで固めることで、該水叩き部の水深を遡上魚のジャンプに必要な深さに確保することが難しく、結果的に魚の遡上が阻害され、延いては河川の生態系が崩れることにもなる。
【０００８】
このような問題に対処する一つの方法として、例えば、実開平６−６７５２６号公報には、工場生産された複数個の落差工コンクリートブロックを施工現場に搬入してこれらを順次河床に横断敷設して落差工を構築することで現場作業量の低減によるコストダウンを図る一方、該落差工コンクリートブロックの上面に適数個の擬岩を形成しコンクリート部分が水面上に露出しないようにすることで落差工を自然的とし河川周辺の景観をできるだけ維持するとともに上記擬岩によって水の流れを多様化して魚類の遡上を容易ならしめるようにしたものが提案されている。
【発明が解決しようとする課題】
【０００９】
ところが、上掲公知例の如き落差工においては、従来の落差工における問題のうち、落差工施工時における現場作業量の低減と落差工が設けられた河川周辺の景観の改善、及び落差工を流れる水流の多様化による魚の遡上の助成という点については一応の評価はできるものの、落差工が河川の川幅方向に略直線状に延びること、落差工の川下側の水深を大きくとることができない構造であること、等から、落差工に要求される機能、特に魚類を含めた水棲生物の棲息環境の改善あるいは維持という点において改善の余地がある。
【００１０】
そこで本願発明は、施工性の良好なコンクリートブロックを使用することで河川周辺の景観性と水棲生物の棲息性とを両立し得るようにしたコンクリートブロックを用いた落差工とを提供することを目的としてなされたものである。
【課題を解決するための手段】
【００１１】
本願発明ではかかる課題を解決するための具体的手段として次のような構成を採用している。
【００１２】
本願の第１の発明にかかるコンクリートブロックを用いた落差工では、所定幅及び所定高さをもち且つ一方の壁面側に凹入するコンクリート製の前壁部と該前壁部の他方の側面から後方へ延出するコンクリート製の後壁部と上記前壁部と後壁部の上面に上方へ突出させて設けられた複数のコンクリート製の擬岩又は自然石からなる突出部とを備えた複数の落差工用コンクリートブロックを、上記後壁部を川上側に向けるとともに上記前壁部の両側面に隣り合う他の落差工用コンクリートブロックの側面を対向させた状態で順次川幅方向に列設してなる上段側ブロック列と、上記複数の落差工用コンクリートブロックを、上記上段側ブロック列よりも河川の流れ方向の川下側において上記後壁部を川上側に向け且つ川幅方向において隣接する上記上段側ブロック列に属する一対の落差工用コンクリートブロックの前壁部の端部前面に対向させるとともに上記前壁部の両側面には隣り合う他の落差工用コンクリートブロックの側面を対向させた状態で順次川幅方向に列設してなる下段側ブロック列とを、上記上段側ブロック列の上面が下段側ブロック列の上面よりも高位に位置するようにして河川の流れ方向に順次形成して構成したことを特徴としている。
【００１３】
本願の第２の発明にかかるコンクリートブロックを用いた落差工では、上記第１の発明に係る落差工において、上記落差工用コンクリートブロックの上記前壁部をその一方の壁面側に凹入する円弧壁とするとともに、上記後壁部を上記前壁部の他方の壁面における円弧方向の略中央部から後方へ延出形成したことを特徴としている。
【発明の効果】
【００１４】
本願発明ではかかる構成とすることにより次のような効果が得られる。
【００１５】
（イ）  本願の第１の発明にかかるコンクリートブロックを用いた落差工によれば、所定幅及び所定高さをもち且つ一方の壁面側に凹入するコンクリート製の前壁部と該前壁部の他方の側面から後方へ延出するコンクリート製の後壁部と上記前壁部と後壁部の上面に上方へ突出させて設けられた複数のコンクリート製の擬岩又は自然石からなる突出部とを備えた複数の落差工用コンクリートブロックを、上記後壁部を川上側に向けるとともに上記前壁部の両側面に隣り合う他の落差工用コンクリートブロックの側面を対向させた状態で順次川幅方向に列設してなる上段側ブロック列と、上記複数の落差工用コンクリートブロックを、上記上段側ブロック列よりも河川の流れ方向の川下側において上記後壁部を川上側に向け且つ川幅方向において隣接する上記上段側ブロック列に属する一対の落差工用コンクリートブロックの前壁部の端部前面に対向させるとともに上記前壁部の両側面には隣り合う他の落差工用コンクリートブロックの側面を対向させた状態で順次川幅方向に列設してなる下段側ブロック列とを、上記上段側ブロック列の上面が下段側ブロック列の上面よりも高位に位置するようにして河川の流れ方向に順次形成して落差工を構成している。
【００１６】
従って、上記落差工の部分をその川上側から川下側に向かって流れる水は、該落差工を越流する際に、上段側ブロック列及び下段側ブロック列において順次その流速及び流れ方向が調整され、該落差工の本来の機能が達成される。この場合、上段側ブロック列に属する落差工用コンクリートブロックの前壁部と、該落差工用コンクリートブロックの前壁部の端部前面にそれぞれその後壁部を対向させて配置される下段側ブロック列に属する左右一対の落差工用コンクリートブロックの前壁部と後壁部との間にこれらによって周囲が囲繞された所定深さのプール部が形成される。このため、このプール部の水深は他の部分の水深よりも大きく、譬えその底部に床版コンクリートが設けられている場合であっても、魚が遡上する際のジャンプの助走に必要な水深、あるいは魚が下降する際の安全性を確保するに必要な水深が十分に得られ、良好な魚道機能が発揮されるものである。また、このプール部は、水棲生物の棲息あるいは休息場所ともなるものであり、従って水棲生物に良好な棲息環境を提供することで河川の生態系が良好に維持される。
【００１７】
さらに、上記落差工用コンクリートブロックが、上記前壁部の両側面のうち、凹入面とされた上記一方の壁面側を河川の川下側に指向させた状態で配置されているので、該前壁部の上面に設けられた上記突出部の各擬岩又は自然石も川下側に凹入する配列状態となる。従って、上記各擬岩又は自然石の間を通って上記プール部側に流下する水は、該各擬岩又は自然石によって該プール部の中央寄りへの偏向作用を受け、該中央寄り部分においては流速が早くなり、端部寄り部分においては流速が遅くなる。この結果、水の流速に応じた水棲生物の棲息領域の区分わけがされ、より多種の水棲生物の棲息が可能となり、延いては河川の生態系の維持が図れることになる。
【００１８】
また、上記落差工の各ブロック列の上面側には、上記各落差工用コンクリートブロックに設けられた上記突出部の各擬岩又は自然石が川幅方向に向けて非直線状に配列されているので、その景観は、例えばこの配列が直線状である場合に比して、より自然に近いものとなり、該落差工を含めた河川周辺の景観性が向上することになる。
【００１９】
（ロ）  本願の第２の発明にかかるコンクリートブロックを用いた落差工によれば、上記落差工用コンクリートブロックの上記前壁部をその一方の壁面側に凹入する円弧壁とするとともに、上記後壁部を上記前壁部の他方の壁面における円弧方向の略中央部から後方へ延出形成しているので、上記落差工の各ブロック列の上面側に配置された上記突出部の各擬岩又は自然石は川幅方向に向けて円弧状に配列され、その景観はより一層自然の岩石配列に近いものとなり、該落差工を含めた河川周辺の景観性がさらに向上することになる。
【００２０】
また、特に多段に配置された複数のブロック列で落差工を構成するものにあっては、上記後壁部の長さを変更することで各ブロック列の間隔（換言すれば、水流勾配）と上記プール部の大きさを調整することができるので、落差工の設計仕様を、施工対象河川の状況に対応させて設定することができ、それだけ落差工の施工自由度が高まることになる。
【発明の実施の形態】
【００２１】
図１〜図４には、本願発明にかかる落差工用コンクリートブロック１を示している。このコンクリートブロック１は、これを適数個組み合わせて河川の河床に設置することで図５に示す如き落差工を構成するものであって、コンクリートの型成形により一体形成される。即ち、コンクリートブロック１は、所定厚さを有し且つその前面１ａ側が円弧状に凹入した円弧状壁体でなる前壁部１１と、該前壁部１１の背面１ｂの幅方向略中央部に連続してここから径方向外方へ延出する後壁部１２と、上記前壁部１１と後壁部１２の上面にそれぞれ上方へ突出する如く設けられた突出部１３とを備えて構成される。
【００２２】
上記前壁部１１は、その前面１ａと上面１ｃとの角部を面取りしてこれを傾斜面１ｄとするとともに、その床面１ｈには上記後壁部１２と略平行方向に延びる左右一対の溝部１４，１４を形成している。さらに、前壁部１１の左右両端の前面に位置し且つ上記前面１ａの弦方向に略平行に延びる左右一対の前端面１ｅ，１ｅと、該前壁部１１の左右両端の外側に位置し上記後壁部１２に平行な方向に延びる左右一対の側端面１ｇ，１ｇは、共に他のコンクリートブロック１との衝合位置決め面となる。また、上記後壁部１２の後端面１ｆも、他のコンクリートブロック１との衝合位置決め面となる。
【００２３】
上記突出部１３は、上記前壁部１１の上面１ｃと傾斜面１ｄに跨がり且つこれらから上方へ突出する如く形成された複数の擬岩１３ａ〜１３ｄ、同１３ｇ〜１３ｊと、上記前壁部１１の幅方向中央部において該前壁部１１と上記後壁部１２とに跨がり且つこれらから上方へ突出する如く形成された擬岩１３ｅと、上記後壁部１２の上面で且つ上記擬岩１３ｅの後方位置において上方へ突出する如く形成された擬岩１３ｆとで構成される。
【００２４】
そして、特にこの実施形態のものにおいては、上記各擬岩１３ａ〜１３ｊの形状及び配置方向等の設定に際して、水を上記後壁部１２側から前壁部１１側に向けて流す場合（図５を参照）において、上記前壁部１１部分を越流する水が該前壁部１１の幅方向中央寄りに偏向されるように考慮している。即ち、コンクリートブロック１の幅方向中央部分に位置する前後二つの擬岩１３ｅ，１３ｆを、水の流れ方向における投影面積が比較的大きく且つその高さも比較的高くするとともに、これらのうち川下側に位置する擬岩１３ｅはこれを川下側に向かって次第に岩石幅が拡大する形状に設定し、これら二つの擬岩１３ｅ，１３ｆによって川上側からコンクリートブロック１側に流れて来る水を左右両側に分流させるようにしている。
【００２５】
一方、上記前壁部１１側に設けられた各擬岩１３ａ〜１３ｄ、同１３ｇ〜１３ｊにおいては、これら各擬岩のうち、上記前壁部１１の幅方向両端に位置する各擬岩１３ａ，１３ｊは他の擬岩よりも水の流れ方向における投影面積が比較的大きく且つその高さも比較的高くなるような形状として該各擬岩１３ａ，１３ｊに水流の偏向作用をもたせるとともに、一端に位置する上記擬岩１３ａと中央に位置する上記擬岩１３ｅとの間に位置する三個の擬岩１３ｂ〜１３ｄを水の流れ方向における投影面積が比較的小さく且つその高さも比較的低くなるような形状としこれら三個の擬岩１３ｂ〜１３ｄの相互間にそれぞれ形成される溝の方向、及び他端に位置する上記擬岩１３ｊと中央に位置する上記擬岩１３ｅとの間に位置する三個の擬岩１３ｇ〜１３ｉを水の流れ方向における投影面積が比較的小さく且つその高さも比較的低くなるような形状としこれら三個の擬岩１３ｇ〜１３ｉの相互間にそれぞれ形成される溝の方向を、それぞれ上記前壁部１１の前面１ａの曲率中心側に指向するように適宜設定している。
【００２６】
従って、川上側から上記コンクリートブロック１側に向かって流れて来る水は、先ず該コンクリートブロック１の幅方向中央部に位置する各擬岩１３ｆ，１３ｅによって左右に分流される。さらに、左右に分流された各水流は、上記前壁部１１の左右両端に位置する各擬岩１３ａ，１３ｊによって幅方向内側へ偏向されるとともに形状の小さい各擬岩１３ｂ〜１３ｄ、同１３ｇ〜１３ｉの対向溝部分に案内されて上記前壁部１１の曲率中心方向に向けて流下することになる（図５の流線Ｗを参照）。
【００２７】
尚、図１〜図４に示したコンクリートブロック１は、その基本型であって、該コンクリートブロック１を使用して実際に落差工を構築する場合には、上記基本型を適宜変形させた変形型のコンクリートブロック１を用意する必要があり、以下に説明する落差工の施工例においては、コンクリートブロック１として、上記前壁部１１及び後壁部１２の高さが「大」，「中」，「小」と異なる三タイプのものを用意し、これら各タイプのコンクリートブロック１を適宜組み合わせることで所要仕様の落差工を得るようにしている。また、他の変形型としては、例えば、上記後壁部１２の延出長さを変えたもの、上記前壁部１１の曲率を代えたもの、該前壁部１１の形状を略「ヘ」字状の屈曲形状とするもの、上記突出部１３の各擬岩の配置パターンあるいは形状を代えたもの、等、種々のものが考えられる。
【００２８】
続いて、上述の如き構成をもつ上記コンクリートブロック１を用いた落差工の施工例をいくつか説明する。
【００２９】
第１の施工例
図５及び図６には、第１の施工例にかかる落差工Ｚ１を示している。この落差工Ｚ１は、三段式の落差工であって、河床基盤上に設けた平板状の基礎コンクリート６上に、高さが「大」，「中」，「小」と異なる三タイプのコンクリートブロック１と、該コンクリートブロック１をその後壁部１２の軸線を通る面で切断した形状をもつコンクリートブロック２（基本構造は上記コンクリートブロック１の場合と同様である）とを使用して構築される。尚、以下においては、説明の便宜上、高さが「大」のコンクリートブロックには符号「１Ａ」を、高さが「中」のコンクリートブロックには符号「１Ｂ」を、高さが「小」のコンクリートブロックには符号「１Ｃ」を、それぞれ付してこれらを区別する。
【００３０】
上記落差工Ｚ１は、次述する三つのブロック列Ｙ１，Ｙ２，Ｙ３で構成される。先ず、上記基礎コンクリート６上に、高さが「大」である複数個のコンクリートブロック１Ａ，１Ａ，・・を、それぞれその前壁部１１の両端の側端面１ｇ，１ｇに隣り合う他のコンクリートブロック１Ａの側端面１ｇを近接対向させて順次川幅方向に設置して第１のブロック列Ｙ１を構成する。
【００３１】
次に、上記基礎コンクリート６上に、高さが「中」である複数個のコンクリートブロック１Ｂ，１Ｂ，・・を、それぞれその前壁部１１の両端の側端面１ｇ，１ｇに隣り合う他のコンクリートブロック１Ｂの側端面１ｇを近接対向させると同時に、その後壁部１２の後端面１ｆを、上記第１のブロック列Ｙ１に属し且つその列設方向において隣り合う二つのコンクリートブロック１Ａ，１Ａの各前端面１ｅ，１ｅに近接対向させながら、順次川幅方向に設置して第２のブロック列Ｙ２を構成する。但し、上記第２のブロック列Ｙ２においては、その川幅方向の両端位置には、上記コンクリートブロック１Ｂに代えて、上記コンクリートブロック２を用いている。
【００３２】
尚、この第２のブロック列Ｙ２の構築作業においては、上記第１のブロック列Ｙ１の隣り合う二つのコンクリートブロック１Ａ，１Ａの各前壁部１１，１１の端部と上記第２のブロック列Ｙ２のコンクリートブロック１Ｂの後壁部１２の端部の三者間を、緊締機構（図示省略）によって相互に緊締して位置保持を行う。また、上記第１のブロック列Ｙ１のコンクリートブロック１Ａとこれに対応する上記第２のブロック列Ｙ２に属する二つのコンクリートブロック１Ｂ，１Ｂの三者により囲繞されてなる略扇形の平面形状をもつプール部５の底部には、コンクリートを打設して床版コンクリート３を形成する。
【００３３】
次に、上記基礎コンクリート６上に、高さが「小」である複数個のコンクリートブロック１Ｃ，１Ｃ，・・を、それぞれその前壁部１１の両端の側端面１ｇ，１ｇに隣り合う他のコンクリートブロック１Ｃの側端面１ｇを近接対向させると同時に、その後壁部１２の後端面１ｆを、上記第２のブロック列Ｙ２に属し且つその列設方向において隣り合う二つのコンクリートブロック１Ｂ，１Ｂの各前端面１ｅ，１ｅに近接対向させながら、順次川幅方向に設置して第３のブロック列Ｙ３を構成する。これで、第１〜第２のブロック列Ｙ１〜Ｙ３からなる落差工Ｚ１の構築が完了する。
【００３４】
尚、この第３のブロック列Ｙ３の構築後に、該第３のブロック列Ｙ３のコンクリートブロック１Ｃと上記第２のコンクリートブロック１Ｂ，１Ｂとの間を相互に緊締して位置保持を行うこと、上記第２のブロック列Ｙ２のコンクリートブロック１Ｂとこれに対応する上記第３のブロック列Ｙ３に属する二つのコンクリートブロック１Ｃ，１Ｃの三者により囲繞されてなる略扇形の平面形状をもつプール部５の底部、及び第３のブロック列Ｙ３の各コンクリートブロック１Ｃ，１Ｃ，・・の前方側にそれぞれコンクリートを打設して床版コンクリート３を形成することは勿論である。
【００３５】
このように、予め工場生産されたコンクリートブロック１（１Ａ，１Ｂ，１Ｃ）を用いて落差工Ｚ１を構築する工法によれば、例えば落差工を現場でのコンクリート打設により構築する場合に比して、該落差工用コンクリートブロック１を予め工場生産する分だけ施工性の悪い現場での作業量が減少することとなり、それだけコストダウンが図られることになる。
【００３６】
また、構築された落差工Ｚ１においては、該落差工Ｚ１の部分をその川上側から川下側に向かって流れる水は、該落差工Ｚ１を越流する際、階段状に河川の流れに沿って設けられた各ブロック列Ｙ１〜Ｙ３において順次その流速及び流れ方向が調整され、該落差工Ｚ１の本来の機能が達成される。尚、図６において符号Ｌで示す曲線は平常水位における水面線を示している（以下、各施工例においても同様である）。
【００３７】
この場合、各ブロック列Ｙ１〜Ｙ３にそれぞれ属する各落差工用コンクリートブロック１Ａ，１Ｂ，１Ｃの間にはそれぞれプール部５，５，・・が形成され、該各プール部５，５，・・においては魚が遡上する際のジャンプの助走に必要な水深、あるいは魚が下降する際の安全性を確保するに必要な水深が十分に確保されており、しかも該プール部５は水棲生物の棲息あるいは休息場所ともなるものである。従って、上記落差工Ｚ１は、それ本来の機能に加えて、高い魚道機能をも併せ持つとともに、魚類を含む種々の水棲生物に良好な棲息環境を提供するものであり、結果的に河川の生態系の維持という点において大きな存在意義をもつものである。尚、上記前壁部１１に上記傾斜面１ｄを設けてこの部分における水の流れを自然の流れに近い状態としているが、かかる構造は魚の遡上に好適な流れ状態を提供することになるものであり、従ってこの点も落差工Ｚ１の魚道機能の一つとして挙げられるものである。
【００３８】
さらに、上記落差工Ｚ１における水の流れをみると、該落差工Ｚ１を構成する各落差工用コンクリートブロック１Ａ，１Ｂ，１Ｃが、それぞれ上記前壁部１１の両側面１ａ，１ｂのうち、凹入面とされた上記前面１ａを河川の川下側に指向させた状態で設置されており、且つ上述の如くこの前壁部１１の上面側に配置された上記突出部１３の各擬岩１３ａ〜１３ｊの形状及び配置パターンが越流水を上記プール部５の中央寄りに集めるように設定されていることから、該プール部５側においてはその中央寄り部分は流速が早く、端部寄り部分は流速が遅くなる。この結果、水の流速に応じた水棲生物の棲息領域の区分けがされ、より多種の水棲生物の棲息が可能となり、延いては河川の生態系の維持が図れることになるものである。
【００３９】
また、上記落差工Ｚ１の各ブロック列Ｙ１〜Ｙ３の上面側には、上記各落差工用コンクリートブロック１Ａ，１Ｂ，１Ｃに設けられた上記突出部１３の各擬岩１３ａ〜１３ｊが川幅方向に向けて多連円弧状に配列されているので、その景観は、例えばこの配列が直線状である場合に比して、より自然に近いものとなり、該落差工Ｚ１を含めた河川周辺の景観性が向上することになる。
【００４０】
尚、河川の生態系の維持という点において重要な意義を有する上記プール部５の大きさと深さとは、落差工Ｚ１を構成するコンクリートブロック１Ａ，１Ｂ，１Ｃの高さ寸法、後壁部１２の長さ寸法、前壁部１１の形状等を適宜変更することで容易に調整することができるものであり、従って、これらの設定に際してその河川に棲息する水棲生物の種類、棲息数等を考慮することで当該河川の生態系の維持に好適な落差工Ｚ１を得ることができることになる。
【００４１】
さらに、図６に鎖線図示するように、上記プール部５の底面を構成する床版コンクリート３の上側に、現場の河川条件、水の流れ条件等に応じて、適宜自然石１０，１０，・・を配置することで、該プール部５の底面がコンクリート面とされている場合に比して、水棲生物の棲息環境をより一層自然に近いものとすることができる。
【００４２】
第２の施工例
図７には、第２の施工例にかかる落差工Ｚ２の河川の流れ方向における断面図を示している。この落差工Ｚ２は、上記第１の施工例における落差工Ｚ１を河川の流れ方向に前後して二組配置した構成をもつものであって、川上側に位置する高段部６ａと川下側に位置する低段部６ｂとからなる階段構造とされた基礎コンクリート６の該高段部６ａに、コンクリートブロック１Ａからなる第１のブロック列Ｙ１とコンクリートブロック１Ｂからなる第２のブロック列Ｙ２とコンクリートブロック１Ｃからなる第３のブロック列Ｙ３とを設置するとともに、上記低段部６ｂにはコンクリートブロック１Ａからなる第４のブロック列Ｙ４とコンクリートブロック１Ｂからなる第５のブロック列Ｙ５とコンクリートブロック１Ｃからなる第６のブロック列Ｙ６とを設置して構成されている。
【００４３】
この落差工Ｚ２においては、最も川上側に位置する第１のブロック列Ｙ１と最も川下側に位置する第６のブロック列Ｙ６との間の落差（最大落差）は大きく、従って、この落差工Ｚ２は河床勾配が比較的急であって且つ河川流れ方向における落差工の設置可能範囲が比較的大きな河川における落差工として好適な構造と言える。
【００４４】
第３の施工例
図８には、第３の施工例にかかる落差工Ｚ３の河川の流れ方向における断面図を示している。この落差工Ｚ３は、川上側に位置する高段部６ａと川下側に位置する低段部６ｂとからなる階段構造とされた基礎コンクリート６の該高段部６ａに、最も大きな高さをもつコンクリートブロック１Ａからなる第１のブロック列Ｙ１と最も小さな高さをもつコンクリートブロック１Ｃからなる第２のブロック列Ｙ２とを設置するとともに、上記低段部６ｂにも上記第１の及び第２のブロック列Ｙ１，Ｙ２と同じ構造をもつ第３のブロック列Ｙ３と第４のブロック列Ｙ４とを設置して構成されている。
【００４５】
この落差工Ｚ３は、上記第２の施工例にかかる落差工Ｚ２の最大落差と同じ落差を、該落差工Ｚ２の場合よりも少ないブロック列数で（換言すれば、河川流れ方向において短い範囲で）達成したものであり、従ってこの第３の施工例にかかる落差工Ｚ３は、河床勾配が急であって且つ落差工設置可能範囲が比較的短く限定された現場条件における落差工として好適な構造といえる。
【００４６】
第４の施工例
図９には、第４の施工例にかかる落差工Ｚ４の河川の流れ方向における断面図を示している。この落差工Ｚ４は、川上側に位置する高段部６ａと川下側に位置する低段部６ｂとからなる階段構造とされた基礎コンクリート６の該高段部６ａと低段部６ｂの双方に、最も大きな高さをもつコンクリートブロック１Ａを使用して構築され且つ同じ構造をもつ第１のブロック列Ｙ１と第２のブロック列Ｙ２とをそれぞれ設置して構成されている。
【００４７】
この落差工Ｚ４は、単一種類のコンクリートブロック１Ａを使用して多段式落差工を構築する場合に好適な構造である。また、上記基礎コンクリート６の高段部６ａと低段部６ｂの高さを適宜変化させることで、同一種類のコンクリートブロック１Ａを使用するものでありながら、上記第１のブロック列Ｙ１と第２のブロック列Ｙ２との間の落差を任意に設定できるものである。
【００４８】
第５の施工例
図１０には、第４の施工例にかかる落差工Ｚ５の河川の流れ方向における断面図を示している。この落差工Ｚ５は、最も簡易な構造の落差工であって、基礎コンクリート６上にコンクリートブロック１Ａからなるブロック列Ｙ１のみを設置したものである。かかる単段式落差工においては、上記ブロック列Ｙ１を構成するコンクリートブロックの高さを適宜変更することで、水の流れ状態が異なる河川に対しても十分にその機能を発揮することができるものである。
【００４９】
その他
（１）  上記実施形態においては、突出部１３を、上記前壁部１１及び後壁部１２と一体的にコンクリートにより型成形される複数の擬岩１３ａ〜１３ｊで構成しているが、本願発明はかかる構成に限定されるものではなく、他の実施形態においては該突出部１３を、図１１に示すように所定形状及び大きさの自然石１３ａ〜１３ｊで構成することもできる。
【００５０】
また、このように自然石１３ａ〜１３ｊを使用して上記突出部１３を形成する場合の作業方法としては、図１１に示すように前壁部１１及び後壁部１２のコンクリート成形時に該各自然石１３ａ〜１３ｊを埋設配置してこれらと一体化させる方法とか、該各自然石１３ａ〜１３ｊを別工程において型成形された上記前壁部１１及び後壁部１２の上面上に事後的に配置固定する方法等が考えられる。尚、かかる自然石の事後配置方法は、上記実施形態のように各擬岩１３ａ〜１３ｊをコンクリートで構成する場合にも適用できるものであって、例えばこの場合には、各擬岩１３ａ〜１３ｊを予め別工程においてコンクリート成形し、これを事後的にコンクリート製の前壁部１１及び後壁部１２の上面に配置固定する。
【００５１】
（２）  上記実施形態においては、上記床版コンクリート３を現場でのコンクリート打設により形成するようにしているが、本願発明はこれに限定されるものではなく、例えば所要形状の床版コンクリート３を予め工場にて生産し、これを落差工施工時に組付けるようにしたり、該床版コンクリート３そのものを上記コンクリートブロック１と一体的に工場生産するようにすることもできるものである。
【図面の簡単な説明】
【図１】  落差工用コンクリートブロックの全体斜視図である。
【図２】  図１に示したコンクリートブロックの平面図である。
【図３】  図２のIII-III断面図である。
【図４】  図２のIV-IV断面図である。
【図５】  本願発明のコンクリートブロックを使用した落差工の第１の施工例を示す平面図である。
【図６】  図５のVI-VI断面図である。
【図７】  図１に示したコンクリートブロックを使用した落差工の第２の施工例を示す断面図である。
【図８】  図１に示したコンクリートブロックを使用した落差工の第３の施工例を示す断面図である。
【図９】  図１に示したコンクリートブロックを使用した落差工の第４の施工例を示す断面図である。
【図１０】  図１に示したコンクリートブロックを使用した落差工の第５の施工例を示す断面図である。
【図１１】  自然石を用いて突出部を構成した場合におけるコンクリート製ブロックの断面図である。
【符号の説明】
１及び２はコンクリートブロック、３は床版コンクリート、４は床版コンクリート、５はプール部、６は基礎コンクリート、１０は自然石、１１は前壁部、１２は後壁部、１３は突出部、１４は溝部、Ｗは越流線、Ｌは水面線、Ｚは落差工である。
【図１】
0003851697.tif 000002
【図２】
0003851697.tif 000003
【図３】
0003851697.tif 000004
【図４】
0003851697.tif 000005
【図５】
0003851697.tif 000006
【図６】
0003851697.tif 000007
【図７】
0003851697.tif 000008
【図８】
0003851697.tif 000009
【図９】
0003851697.tif 000010
【図１０】
0003851697.tif 000011
【図１１】
0003851697.tif 000012